(57)【特許請求の範囲】
【請求項１】
入力軸１が耕耘ミッションケースＭの内部に挿入された部分に、高速耕耘ギヤ１１が遊嵌され、更に低速耕耘ギヤ１２がスプライン嵌合状態で左右に摺動可能に配置され、該高速耕耘ギヤ１１は係合部を具備しており、低速耕耘ギヤ１２の一部が該係合部と噛合することにより、低速耕耘ギヤ１２から高速耕耘ギヤ１１を介して、変速軸２上の固設ギヤ１３に高速耕耘回転を伝達し、更に該低速耕耘ギヤ１２が摺動して、変速軸２上の固設ギヤ１４と噛合することにより低速耕耘回転を伝達すべく構成し、該変速軸２上に固定した正転駆動スプロケット１５とチェーン３３により、正転駆動軸６を駆動し、
前記変速軸２に駆動スプロケット１７を固定し、下段のカウンター軸３上の駆動スプロケット１８の間にチェーン１６を巻回し、該カウンター軸３上に正逆切換摺動ギヤ１９を摺動可能に配置し、該正逆切換摺動ギヤ１９が一側に摺動して、前記駆動スプロケット１８と一体化された場合には、カウンター軸３には正転が伝達され、また、正逆切換摺動ギヤ１９が他側に摺動して、変速軸２の上の固設ギヤ１３と噛合すると、カウンター軸３には逆転回転が伝達され、
該カウンター軸３の上のスプロケット２０と、逆転軸４の上のスプロケット２３との間に、チェーン２１が巻回され、該逆転軸４の上の固設ギヤ２２が、正転駆動軸６の上に遊嵌された遊嵌ギヤ２４と噛合し、該遊嵌ギヤ２４の回転が遊嵌動力伝達ギヤ２５を介して、逆転耕耘爪軸５に伝達され、該逆転耕耘爪軸５に逆転耕耘爪８が植設され、
該逆転軸４を正転回転する場合と、逆転回転する場合とに切換えることを特徴とする部分逆転ロータリ耕耘装置。
【請求項２】
請求項１記載の耕耘ミッションケースＭの部分を、走行車軸部分にロータリ耕耘装置を付設する車軸ロータリ耕耘装置の走行ミッションケースＡと置き換えて、該車軸部分を部分的に正逆転ロータリとしたことを特徴とする部分逆転ロータリ耕耘装置。
【発明の詳細な説明】
【０００１】
【発明の属する技術分野】
本発明は、ロータリ耕耘装置において、耕耘爪の一部を逆転させる部分逆転ロータリ耕耘装置に関する。
【０００２】
【従来の技術】
従来から、歩行形耕耘機において、作業機として部分逆転ロータリ耕耘装置を装着した技術は公知とされているのである。
例えば、特開平６−３４３３１０号公報や、特開平６−３０３８０１号公報や、特開平６−１９７６０４号公報や、特開平７−７９６０１号公報や、特公昭４６−３９０４１号公報に記載の技術の如くである。
【０００３】
【発明が解決しようとする課題】
本発明は、該部分逆転ロータリ耕耘装置において、逆転耕耘爪の部分を、場合によっては切換レバーにより、正転回転に戻して、通常のロータリ耕耘装置としても使用可能とする技術に関する。
また、該部分逆転ロータリ耕耘装置の技術を、歩行型管理機の走行車軸の部分に用いて、車軸ロータリ耕耘装置においても、部分逆転ロータリ耕耘を可能としたものである。
【０００４】
【課題を解決するための手段】
本発明の解決しようとする課題は以上の如くであり、次に該課題を解決するための手段を説明する。
請求項１においては、入力軸１が耕耘ミッションケースＭの内部に挿入された部分に、高速耕耘ギヤ１１が遊嵌され、更に低速耕耘ギヤ１２がスプライン嵌合状態で左右に摺動可能に配置され、該高速耕耘ギヤ１１は係合部を具備しており、低速耕耘ギヤ１２の一部が該係合部と噛合することにより、低速耕耘ギヤ１２から高速耕耘ギヤ１１を介して、変速軸２上の固設ギヤ１３に高速耕耘回転を伝達し、更に該低速耕耘ギヤ１２が摺動して、変速軸２上の固設ギヤ１４と噛合することにより低速耕耘回転を伝達すべく構成し、該変速軸２上に固定した正転駆動スプロケット１５とチェーン３３により、正転駆動軸６を駆動し、前記変速軸２に駆動スプロケット１７を固定し、下段のカウンター軸３上の駆動スプロケット１８の間にチェーン１６を巻回し、該カウンター軸３上に正逆切換摺動ギヤ１９を摺動可能に配置し、該正逆切換摺動ギヤ１９が一側に摺動して、前記駆動スプロケット１８と一体化された場合には、カウンター軸３には正転が伝達され、また、正逆切換摺動ギヤ１９が他側に摺動して、変速軸２の上の固設ギヤ１３と噛合すると、カウンター軸３には逆転回転が伝達され、該カウンター軸３の上のスプロケット２０と、逆転軸４の上のスプロケット２３との間に、チェーン２１が巻回され、該逆転軸４の上の固設ギヤ２２が、正転駆動軸６の上に遊嵌された遊嵌ギヤ２４と噛合し、該遊嵌ギヤ２４の回転が遊嵌動力伝達ギヤ２５を介して、逆転耕耘爪軸５に伝達され、該逆転耕耘爪軸５に逆転耕耘爪８が植設され、該逆転軸４を正転回転する場合と、逆転回転する場合とに切換えるものである。
請求項２においては、請求項１記載の耕耘ミッションケースＭの部分を、走行車軸部分にロータリ耕耘装置を付設する車軸ロータリ耕耘装置の走行ミッションケースＡと置き換えて、該車軸部分を部分的に正逆転ロータリとしたものである。
【０００５】
【発明の実施の形態】
次に本発明の実施の形態を説明する。
図１は歩行型耕耘機の後部に付設した部分逆転ロータリ耕耘装置の全体側面図、
図２は部分逆転ロータリ耕耘装置の耕耘ミッションケースＭの後面断面図、
図３は同じく耕耘ミッションケースＭの側面図、
図４は歩行型管理機の走行車軸の部分を部分逆転ロータリ耕耘装置とした構成を示す側面図である。
【０００６】
図１と図２と図３において、本発明の請求項１の部分逆転ロータリ耕耘装置の構成について説明する。
図１において、エンジンからの動力を、走行ミッションケースＡに入力し、該走行ミッションケースＡの内部で変速した後の回転を、走行車軸２８に伝達している。該走行車軸２８に車輪２９が固定されている。
前記走行ミッションケースＡと、耕耘ミッションケースＭとの間に、動力伝達チェーンケース２７を介装して、走行ミッションケースＡの回転の一部を、耕耘ミッションケースＭの入力軸１に伝達している。該耕耘ミッションケースＭの下端の位置に、正転耕耘爪９を植設した正転耕耘爪軸７と、逆転耕耘爪８を植設した逆転耕耘爪軸５が同一軸芯上に配置されている。
【０００７】
次に図２と図３において、耕耘ミッションケースＭの構成を説明する。
入力軸１の部分に動力伝達チェーンケース２７が付設されて、該動力伝達チェーンケース２７内のチェーンにより、入力軸１の入力スプロケット１０に動力伝達されている。入力軸１が耕耘ミッションケースＭの内部に挿入された部分に、高速耕耘ギヤ１１が遊嵌され、低速耕耘ギヤ１２がスプライン嵌合状態で左右に摺動可能に配置されている。該高速耕耘ギヤ１１はインナー係合ギアを具備しており、低速耕耘ギヤ１２の一部が該インナー係合ギアと噛合することにより、低速耕耘ギヤ１２から高速耕耘ギヤ１１を介して、変速軸２の上の固設ギヤ１３に動力を伝達して、高速耕耘となる。また、該低速耕耘ギヤ１２が右側へ摺動して、固設ギヤ１４と噛合することにより、低速耕耘回転を伝達する。
【０００８】
前記変速軸２の上には正転駆動スプロケット１５が固定されており、該正転駆動スプロケット１５に巻回されたチェーン３３により、正転駆動軸６の上の駆動スプロケット２６に正転回転動力が伝達される。また、変速軸２が耕耘ミッションケースＭの外に出た部分に、逆転・正転切換部が構成されており、変速軸２に駆動スプロケット１７が固定されている。
また、カウンター軸３の上に、駆動スプロケット１８が遊嵌されており、該駆動スプロケット１７と駆動スプロケット１８の間に、チェーン１６が巻回されている。該駆動スプロケット１７と駆動スプロケット１８の間で、正転回転がカウンター軸３に伝達される。即ち、カウンター軸３の上の正逆切換摺動ギヤ１９が左側に摺動して、駆動スプロケット１８と一体化された場合には、逆転耕耘爪軸５には正転が伝達される。
【０００９】
また、正逆切換摺動ギヤ１９が右方向に摺動して、耕耘ミッションケースＭ内の変速軸２の上の固設ギヤ１３と噛合すると、カウンター軸３には逆転回転が伝達される。該カウンター軸３の上のスプロケット２０と、逆転軸４の上のスプロケット２３との間に、チェーン２１が巻回されている。
以上の構成により、正逆切換摺動ギヤ１９の左右への摺動により、逆転耕耘爪軸５を正転回転する場合と、逆転回転する場合とに切り換えることが出来るのである。
【００１０】
逆転軸４の上の固設ギヤ２２が、正転駆動軸６の上に遊嵌された遊嵌ギヤ２４と噛合しており、該遊嵌ギヤ２４の回転が遊嵌動力伝達ギヤ２５を介して、逆転耕耘爪軸５に伝達されるのである。該逆転耕耘爪軸５に逆転耕耘爪８が植設されている。故に、正逆切換摺動ギヤ１９の左右への操作により、逆転耕耘爪８は正転耕耘爪軸７と同じく正転させることも出来るし、逆転させることも可能なのである。
正転回転の場合には、駆動スプロケット２６から正転駆動軸６を駆動し、該正転駆動軸６の左右端部に係合された正転耕耘爪軸７に動力が伝達される。該正転耕耘爪軸７の上に正転耕耘爪９が植設されている。
【００１１】
このように、低速耕耘ギヤ１２を摺動することにより、耕耘回転を高低に変速することができ、かつ、正逆切換摺動ギヤ１９を左右に摺動することにより、逆転耕耘爪８を正転させる場合と、逆転させる場合とに切り換えることが出来るのである。
【００１２】
次に図４において説明する。該図４においては、図１〜図３に図示した耕耘ミッションケースＭの部分を、走行ミッションケースＡと置き換えて、車軸ロータリ耕耘装置としたものである。即ち、走行車軸２８の部分が、逆転耕耘爪軸５や正転耕耘爪軸７となるのである。
このような場合において、走行をスムーズにする為に、逆転耕耘爪軸５の回転を正転と逆転に切り換えることが出来るように構成しているのである。
【００１３】
【発明の効果】
本発明は以上の如く構成したので、次のような効果を奏するのである。
請求項１の如く、入力軸１が耕耘ミッションケースＭの内部に挿入された部分に、高速耕耘ギヤ１１が遊嵌され、更に低速耕耘ギヤ１２がスプライン嵌合状態で左右に摺動可能に配置され、該高速耕耘ギヤ１１は係合部を具備しており、低速耕耘ギヤ１２の一部が該係合部と噛合することにより、低速耕耘ギヤ１２から高速耕耘ギヤ１１を介して、変速軸２上の固設ギヤ１３に高速耕耘回転を伝達し、更に該低速耕耘ギヤ１２が摺動して、変速軸２上の固設ギヤ１４と噛合することにより低速耕耘回転を伝達すべく構成し、該変速軸２上に固定した正転駆動スプロケット１５とチェーン３３により、正転駆動軸６を駆動し、前記変速軸２に駆動スプロケット１７を固定し、下段のカウンター軸３上の駆動スプロケット１８の間にチェーン１６を巻回し、該カウンター軸３上に正逆切換摺動ギヤ１９を摺動可能に配置し、該正逆切換摺動ギヤ１９が一側に摺動して、前記駆動スプロケット１８と一体化された場合には、カウンター軸３には正転が伝達され、また、正逆切換摺動ギヤ１９が他側に摺動して、変速軸２の上の固設ギヤ１３と噛合すると、カウンター軸３には逆転回転が伝達され、該カウンター軸３の上のスプロケット２０と、逆転軸４の上のスプロケット２３との間に、チェーン２１が巻回され、該逆転軸４の上の固設ギヤ２２が、正転駆動軸６の上に遊嵌された遊嵌ギヤ２４と噛合し、該遊嵌ギヤ２４の回転が遊嵌動力伝達ギヤ２５を介して、逆転耕耘爪軸５に伝達され、該逆転耕耘爪軸５に逆転耕耘爪８が植設され、該逆転軸４を正転回転する場合と、逆転回転する場合とに切換えるので、稲を刈り取った後の藁屑の多い場所では、藁の巻きつきの発生の少ない正転回転のみのロータリ耕耘装置とし、また土壌の軟弱な圃場でも、ダッシュの心配が少ないので、正転ロータリ耕耘装置として使用し、逆に圃場が硬い場合には、ダッシュして危険であるので、部分逆転ロータリ耕耘装置として使用することにより、用途別に最適の使用方法を選択出来るロータリ耕耘装置とすることが出来たのである。
【００１４】
請求項２の如く、請求項１記載の耕耘ミッションケースＭの部分を、走行車軸部分にロータリ耕耘装置を付設する車軸ロータリ耕耘装置の走行ミッションケースＡと置き換えて、該車軸部分を部分的に正逆転ロータリとしたので、圃場内を速度を速くして耕耘する場合には、正転のみのロータリ耕耘装置として作業をすることができ、代掻き等の作業に適している。
また、荒起こし等のゆっくりと充分に耕耘する必要のある場合には、部分逆転ロータリ耕耘装置として、速度を遅くして、充分の抵抗を与えながら耕耘することが出来るのである。
【図面の簡単な説明】
【図１】  歩行型耕耘機の後部に付設した部分逆転ロータリ耕耘装置の全体側面図。
【図２】  部分逆転ロータリ耕耘装置の耕耘ミッションケースＭの後面断面図。
【図３】  同じく耕耘ミッションケースＭの側面図。
【図４】  歩行型管理機の走行車軸の部分を部分逆転ロータリ耕耘装置とした構成を示す側面図。
【符号の説明】
Ｍ  耕耘ミッションケース
Ａ  走行ミッションケース
１  入力軸
２  変速軸
３  カウンター軸
４  逆転軸
５  逆転耕耘爪軸
６  正転駆動軸
７  正転耕耘爪軸
８  逆転耕耘爪
９  正転耕耘爪
１９  正逆切換摺動ギヤ
【図１】
0003680960.tif 000002
【図２】
0003680960.tif 000003
【図３】
0003680960.tif 000004
【図４】
0003680960.tif 000005